(57)【要約】      （修正有）【課題】長期保存を可能にすると共に作業をし易くする保管容器を提供する。【解決手段】前金網体１１、背金網体１２、対の側金網体１３，１４、底金網体１５及び蓋金網体１６から形成され、接続コイル１７ａ〜１７ｇを介して箱状に組み立てることができると共に板状に折り畳むことができる保管用金網かご１と、内面側の固着部４で連結されている保管用金網かご１全体を包み、耐候性及び耐水性を有する包装シート２と、この包装シートの外面に固着されており、保管用金網かご１及び包装シート２を吊り上げるための吊り上げ用の線状体とからなり、各金網体１１〜１６は四角形状の外枠内に金網を取り付けているものであり、包装シート２は保管用金網かご１を包んでいる状態では上記保管用金網かごの開口部と共に投入口となる開口部を形成可能である。【選択図】図５
2016206106.tif 000002
【特許請求の範囲】
【請求項１】
前金網体、背金網体、対の側金網体、底金網体及び蓋金網体から形成されており、各金網体は連結具を介して箱状に組み立てることができると共に板状に折り畳むことができる保管用金網かごと、
内面側の固着部で連結されている上記保管用金網かご全体を包み、耐候性及び耐水性を有する包装シートと、
この包装シートの外面に固着されており、上記保管用金網かご及び上記包装シートを吊り上げるための吊り上げ用の線状体と
を備えており、
上記保管用金網かごは、放射性物質を含んでいる除染廃棄物を蓋金網体により開閉される開口部を通じて投入しかつ内部に収納することができ、
上記各金網体は四角形状の外枠内に金網を取り付けているものであり、
上記各金網体のうち上記各側金網体は、２つ割りの側片部からそれぞれ構成されていると共に両側片部のうち、突き合っている両外枠が上記連結具により折り畳み可能に連結されており、
上記包装シートは、上記保管用金網かごを包んでいる状態では上記保管用金網かごの上記開口部と共に投入口となる開口部を形成可能である
ことを特徴とする除染廃棄物の保管容器。
【請求項２】
底金網体及び蓋金網体の各外枠に掛け止め具を取り付けてあり、上記底金網体の掛け止め具は対の側金網体及び背金網体の底部側の各外枠に掛け止め可能であり、上記蓋金網体の掛け止め具は前金網体及び対の側金網体の開口部側の各外枠に掛け止め可能であることを特徴とする請求項１項記載の除染廃棄物の保管容器。
【請求項３】
保管用金網かごは、前金網体と、この前金網体の一側に隣接している一方の側金網体及び上記前金網体の他側に隣接している他方の側金網体と、この他方の側金網体に隣接している背金網体と、この背金網体の開口部側に隣接している蓋金網体と、上記前金網体の底部側で隣接している底金網体とからなり、包装シートは上記前金網体、両側金網体、背金網体及び蓋金網体からなる上記保管用金網かごの本体側を被覆可能である本体側被覆部と、上記底金網体である底部側を被覆可能である底部側被覆部とからなるものであることを特徴とする請求項１又は請求項２記載の除染廃棄物の保管容器。
【請求項４】
固着部は、保管用金網かごを形成している全金網体のうち、前金網体及び対の側金網体の開口側外枠部と、これらの外枠部と対向している包装シートの内面側との間に設けられていることを特徴とする請求項１乃至請求項３のいずれかに記載の除染廃棄物の保管容器。
【発明の詳細な説明】
【技術分野】
【０００１】
この発明は、放射性物質に汚染されたり、放射性物質が付着した土、泥、草木などの汚染廃棄物を除染作業により排出された除染廃棄物を長期に亘って保管するための容器に関する。
【背景技術】
【０００２】
東京電力福島第一原発事故に生じた放射性物質は水田、畑、森林、公園、校庭などあらゆる所を汚染し、自然環境を破壊した。そこで、この破壊された自然環境を元に戻すために、放射性物質に汚染された土や泥、草木又は伐採木や落ち葉などは除染されている。この除染作業から出た汚染土などの廃棄物は、保管袋に詰めて清掃工場の空地、水田の仮置場、市街地では民家の敷地である庭先やマンションの屋上などに保管されているのが実情である。除染された廃棄物は今後も増え続けるものと予想される。
従来、このような放射性物質に汚染され又はこれが付着された廃棄物の保管方法として、実用新案登録第３１８３８３３号公報に係る除染廃棄物収納袋及び同第３１９１０７３号公報に係るフレキシブルコンテナバッグ（以下それぞれ「従来例１」及び「従来例２」という。）が提案されている。
従来例１は放射性物質を吸着する吸着機能及び透水性を有する内袋と、耐久性、耐候性及び透水性を有する外袋の２重袋にしたものである。内袋は、バインダーを用いてプルシアンブルーを含浸又は塗布させるとともに剛性を持たせて自立した不織布で形成されている。外袋は例えば市販されている土嚢袋を用いても良いし、ポリエチレンなどの強度の高い合成繊維などで形成したものを用いても良いとしている。
従来例２は放射性物質を吸着する吸着機能を有する内袋、防水性を有する中袋及び除染廃棄物を収納した状態で移送に耐え得る耐久性を有する外袋で３層に形成された袋体と、袋体を開口部が上向きに開いた開口状態に保持するスタンドとを備えているものである。内袋は、プルシアンブルーを含浸または塗布させた布、不織布などで形成されている。中袋は、例えばポリエチレン、ポリプロピレンなどの合成樹脂などで形成したものを用いてもよいとしている。外袋は、例えば市販されている土嚢袋などを用いても良いし、ポリエチレンなど強度の高い合成樹脂などで形成したものを用いても良いとしている。
【先行技術文献】
【特許文献】
【０００３】
【特許文献１】実用新案登録第３１８３８３３号公報
【特許文献２】実用新案登録第３１９１０７３号公報
【発明の概要】
【発明が解決しようとする課題】
【０００４】
従来例１にあっては、長期保存を可能にするために工夫されているが、除染廃棄物中に含まれる伐採された枝木を収納袋に収納する際、この枝木が収納袋を突き破ることがある。そして、うまく収納できても、この枝木又は種から発芽した新芽やその根が伸びて布製の内袋及び合成樹脂製の外袋を突き破って収納袋を破損することがあった。収納袋の破損個所から収納している除染廃棄物の汚染水が流出して周辺の環境を汚染してしまい、除染廃棄物の長期保存の効果を減少させてしまう課題があった。
従来例２によれば、３層にした袋体によって除染廃棄物を保管するので従来例１と比較して長期保存の効果を期待できるものの、内袋、中袋及び外袋の各材質も従来例１と大差がないから従来例１の課題は依然として残る。そして袋体を３層にしかつスタンドを用いるので従来例１と比較して収納作業に手間がかかる課題がある。
この発明の目的は長期保存を可能にすると共に作業をし易くすることにある。
【課題を解決するための手段】
【０００５】
この発明に係る廃棄物の保管容器の第１の特徴は、前金網体、背金網体、対の側金網体、底金網体及び蓋金網体から形成されており、各金網体は連結具を介して箱状に組み立てることができると共に板状に折り畳むことができる保管用金網かごと、内面側の固着部で連結されている上記保管用金網かご全体を包み、耐候性及び耐水性を有する包装シートと、この包装シートの外面に固着されており、上記保管用金網かご及び上記包装シートを吊り上げるための吊り上げ用の線状体とを備えていることにある。上記保管用金網かごは、放射性物質を含んでいる除染廃棄物を蓋金網体により開閉される開口部を通じて投入しかつ内部に収納することができる。上記各金網体は四角形状の外枠内に金網を取り付けているものである。上記各金網体のうち上記各側金網体は、２つ割りの側片部からそれぞれ構成されていると共に両側片部のうち、突き合っている両外枠が上記連結具により折り畳み可能に連結されている。上記包装シートは、上記保管用金網かごを包んでいる状態では上記保管用金網かごの上記開口部と共に投入口となる開口部を形成可能である。
この発明に係る廃棄物の保管容器の第２の特徴は、第１の特徴を前提とし、底金網体及び蓋金網体の各外枠に掛け止め具を取り付けてあり、上記底金網体の掛け止め具は対の側金網体及び背金網体の底部側の各外枠に掛け止め可能であり、上記蓋金網体の掛け止め具は前金網体及び対の側金網体の開口部側の各外枠に掛け止め可能であることにある。
この発明に係る廃棄物の保管容器の第３の特徴は、第１の特徴又は第２の特徴を前提とし、保管用金網かごは、前金網体と、この前金網体の一側に隣接している一方の側金網体及び上記前金網体の他側に隣接している他方の側金網体と、この他方の側金網体に隣接している背金網体と、この背金網体の開口部側に隣接している蓋金網体と、上記前金網体の底部側で隣接している底金網体とからなり、包装シートは上記前金網体、両側金網体、背金網体及び蓋金網体からなる上記保管用金網かごの本体側を被覆可能である本体側被覆部と、上記底金網体である底部側を被覆可能である底部側被覆部とからなるものであることにある。
この発明に係る廃棄物の保管容器の第４の特徴は、第１の特徴、第２の特徴又は第３の特徴を前提とし、固着部が保管用金網かごを形成している全金網体のうち、前金網体及び対の側金網体の開口側外枠部と、これらの外枠部と対向している包装シートの内面側との間に設けられていることにある。
【発明の効果】
【０００６】
この発明によれば、投入時に保管容器を自立させるためのスタンドが不要であるから除染廃棄物の投入作業がし易く、そして枝木が保管用金網かごを突き破って保管容器の損傷を抑制することができ、さらに上記の投入時でも保管中でも枝木や種の芽が成長したりしても従来例と比較して保管用金網かごが突き破れにくく、長期保存に寄与することができる。
【図面の簡単な説明】
【０００７】
【図１】この発明に係る除染廃棄物の保管容器を示す斜視図である。
【図２】この発明に係る除染廃棄物の保管容器を示す底面図である。
【図３】この発明に係る除染廃棄物の保管容器を折り畳んだ状態を示す斜視図である。
【図４】この発明に係る除染廃棄物の保管容器に除染廃棄物を収納する段階を示す斜視図である。
【図５】この発明に係る除染廃棄物の保管容器における保管用金網かご及び包装シートを示す展開図である。
【図６】この発明に係る除染廃棄物の保管容器における保管用金網かごを拡大して示す展開図である。
【図７】この発明に係る除染廃棄物の保管容器における保管用金網かごを示す斜視図であって、蓋金網体を開けている図である。
【図８】この発明に係る除染廃棄物の保管容器の折り畳みの工程を説明するための保管用金網かご及び包装シートを概略して示すと共にそれらの厚み、接続コイル及び吊り上げベルトを省略している斜視図であって、底金網体を折り畳んだ図である。
【図９】この発明に係る除染廃棄物の保管容器の折り畳みの工程を説明するための保管用金網かご及び包装シートを概略して示すと共にそれらの厚み、接続コイル及び吊り上げベルトを省略している斜視図であって、背金網体及び蓋金網体の折り畳み途中の図である。
【図１０】この発明に係る除染廃棄物の保管容器の折り畳みの工程を説明するための保管用金網かご及び包装シートを概略して示すと共にそれらの厚み、接続コイル及び吊り上げベルトを省略している斜視図であって、両側金網体の折り畳み途中の図である。
【図１１】この発明に係る除染廃棄物の保管容器の折り畳みの工程を説明するための保管用金網かご及び包装シートを概略して示すと共にそれらの厚み、接続コイル及び吊り上げベルトを省略している斜視図であって、（ｉ）は板状に折り畳んだ状態を示す図であり、（ｉｉ）は折り畳みの最終段階直前の状態を示す図である。
【図１２】この発明に係る除染廃棄物の保管容器の折り畳みの工程を説明するための保管用金網かご及び包装シートを概略して示すと共に接続コイル及び吊り上げベルトを省略している側面図であって、（ｉ）は保管容器を板状に折り畳んだ状態を示す一部切欠されている図であり、（ｉｉ）は保管容器の底部を覆う状態を示す図である。
【発明を実施するための形態】
【０００８】
以下、本発明の実施形態について図面に基づいて説明する。
この発明に係る除染廃棄物の保管容器は、放射性物質に汚染された又はこの物質が付着され土や泥、小石や砂、伐採された樹木、草根及び種などの除染された廃棄物を保管する手段として使用されるものである。
図１〜図３において、除染廃棄物の保管容器Ｃは、箱状の保管用金網かご１と、この保管用金網かごを包む包装シート２と、一体化された両者を吊り上げることができる吊り上げ用の線状体３とを備えると共に、全体を板状に折り畳み可能である。
【０００９】
図５〜図７において、保管用金網かご１は、前金網体１１、背金網体１２、対の側金網体１３，１４、底金網体１５及び蓋金網体１６から形成され、これらの金網体を組み合わせて直方体又は立方体に組み立てることができる。いずれの金網体１１〜１６もステンレス製などの金属製部材から四角形状に形成されているものであって、四辺を構成する線状の外枠１１ａ〜１６ａに金網を取り付けているものである。ただし、各側金網体１３，１４は、両側辺側に２つ割りされた四角形状の側片部１３Ａ，１３Ｂ，１４Ａ，１４Ｂからそれぞれ構成されている。
保管用金網かご１は、図５に示す展開状態では図上側がかごの開口部１ａ（図７）側であり、下側が底部側である。各金網体１１〜１６の外枠１１ａ〜１６ａのうち、前金網体１１及び対の側金網体１３，１４の外枠１１ａ，１３ａ，１４ａは、図５の上側の枠部分が開口側外枠部１１ａ１，１３ａ１，１４ａ１となっている。
保管用金網かご１の金網体１１〜１６は、図５に示すように隣接している金網体同士のすべて又はその一部が互いに折り畳み用の連結具であるスパイラル状の接続コイル１７ａ〜１７ｅにより結合されている。金網体１１〜１６のうち、側金網体１３，１４をそれぞれ形成している対の側片部１３Ａ，１３Ｂ及び対の側片部１４Ａ，１４Ｂは、それぞれの側片部において隣接している側が連結具であるスパイラル状の接続コイル１７ｆ，１７ｇにより結合されている。
保管用金網かご１の金網体１１〜１６は接続コイル１７ａ〜１７ｇによって板状に薄く折り畳んでコンパクト化することができ、反対に組み立てにより箱状の収納かごにすることができる。
【００１０】
一例として、図５に保管用金網かご１の展開状態を示しているので、各金網体１１〜１６の連結関係を説明する。
この例によれば、前金網体１１の両側辺と、これらに隣接している側金網体１３の一方（図左方）の側片部１３Ａの側辺及び他方の側金網体１４の側片部１４Ｂの側辺とは、それぞれ接続コイル１７ａ，１７ｂによって連結されている。そして、前金網体１１の図５下辺（組立後底辺となる一辺）と、これに隣接している底金網体１５の図上辺（組立後底辺となる四辺のうちの一辺）とは接続コイル１７ｃによって連結されている。また、背金網体１２の一方（図右方）の側辺と、これに隣接している側片部１４Ａの他方の側辺とは、接続コイル１７ｄによって連結されている。さらに、背金網体１２の図５上辺（組立後開口部辺となる四辺のうちの一辺）と、これに隣接している蓋金網体１６の下辺（組立後蓋辺のうちの基端となる一辺）とは接続コイル１７ｅによって連結されている。また、側金網体１３，１４では外枠１３ａ，１４ａが図５左右に２分割されている。このため、側片部１３Ａ及び側片部１３Ｂは、隣接している側辺同士が接続コイル１７ｆにより連結されている。同様に、側片部１４Ａと側片部１４Ｂとは、突き合っている側辺同士が接続コイル１７ｇにより連結されている。
【００１１】
さらに、上例の連結状態を図６を参照して具体的に説明する。
前金網体１１の両側辺に対応している外枠１１ａと、これらに隣接している側金網体１３の側片部１３Ａの側辺に対応している外枠１３ａ及び側金網体１４の側片部１４Ｂの側辺に対応している外枠１４ａとは、それぞれ接続コイル１７ａ，１７ｂによって互いに折り曲げ自在に連結されている。そして、前金網体１１の下辺（図６下方側の辺）に対応している外枠１１ａとは、この外枠に隣接している底金網体１５の外枠１５ａとは接続コイル１７ｃによって互いに折り畳み自在に連結されている。また、背金網体１２の側片部１４Ａ側の側辺に対応している外枠１２ａと、これに隣接している側片部１４Ａの側辺側の外枠１４ａとは、接続コイル１７ｄによって互いに折り畳み自在に連結されている。また、背金網体１２の上辺に位置している外枠１２ａと、この外枠に隣接している蓋金網体１６の下辺に位置している外枠１６ａとは接続コイル１７ｅによって互いに折り畳み自在に連結されている。
側片部１３Ａ及び側片部１３Ｂは、隣接している外枠部分で突き合っている側辺同士である外枠１３ａに相当する外枠部同士が接続コイル１７ｆにより谷折り又は山折り自在に連結されている。同様に、側片部１４Ａと側片部１４Ｂとは、突き合っている側辺同士の外枠１４ａに相当する外枠部同士が接続コイル１７ｇにより谷折り又は山折り自在に連結されている。
【００１２】
図７に示すように、底金網体１５及び蓋金網体１６の両側辺及び先端辺側である自由端辺側に位置している外枠１５ａ，１６ａには単数又は複数の掛け止め具であるフック１８，１９を回転自在に取り付けてある。保管用金網かご１が組み立てられた状態において、底金網体１５のフック１８は、両側金網体１３，１４の側片部１３Ａ，１３Ｂ，１４Ａ，１４Ｂの外枠１３ａ，１４ａ、背金網体１２の外枠１２ａ又はそれらの近傍の金網の網目に掛け止めて、底金網体の水平状態を固定している。
なお、背金網体１２の外枠１２ａ又はそれらの近傍の金網の網目に掛け止め可能な底金網体１５のフック１８に関しては、図７には図示していない。
蓋金網体１６のフック１９は、これを保管用金網かごの開口部１ａに被せた後、両側金網体１３，１４の側片部１３Ａ，１３Ｂ，１４Ａ，１４Ｂの外枠１３ａ，１４ａ又はその近傍の金網体の網目に、前金網体１１の上端開口部を囲む外枠１１ａ又はその近傍の金網体の網目にそれぞれ蓋金網体の位置を固定している。
【００１３】
包装シート２は所謂ＵＶ加工を施すなど耐候性を有し、耐水性を有する部材からなる。包装シート２は、箱状に組み立てた保管用金網かご１全体を覆い包むことができる大きさに形成されている。また、図５に示すように、包装シート２は、その内面側（上面）に保管用金網かご１を展開して平面状にした各金網体１１〜１６を載せることができる大きさである。包装シート２上に平面状にした各金網体１１〜１６を載置した状態で、上述したように各金網体１１〜１６のうち、図５に示す前金網体１１及び対の側金網体１３，１４における外枠１１ａ，１３ａ，１４ａの開口側外枠部１１ａ１，１３ａ１，１４ａ１との間に、包装シート２の内側とは、上記開口側外枠部を加熱して、各開口側外枠部に接触している包装シートの接触部分を溶融させることにより、図５鎖線に示す固着部４を形成してある。固着部４は、保管用金網かご１を形成している全金網体１１〜１６のうち、前金網体１１及び対の側金網体１３，１４の開口側外枠部１１ａ１，１３ａ１，１４ａ１と、これらの外枠部と対向している包装シートの内面側との間に設けられている。
図５に示すように保管用金網かご１及び包装シート２は板状に重ねられた状態にすることもできる。
【００１４】
平面状に重ねられた保管用金網かご１及び包装シート２を箱状に組み立てる工程を図５及び図８〜図１２を参照して段階的に説明する。
まず、図５に示す状態から図８に示すように、保管用金網かご１の底金網体１５を接続コイル１７ｃ（図５）を中心として図８矢印方向（時計方向）に回転させて前金網体１１上に重ねる。そして、背金網体１２及び蓋金網体１６を接続コイル１７ｄ（図５）を中心として図９矢印方向に回転させて起立させると同時に、包装シート２の本体側被覆部２ａの一端部（図８左端部）も背金網体及び蓋金網体の折り畳み方向と同じ方向に折り曲げる。引き続いて、図１０に示すように、底金網体１５両側の側金網体１３，１４のそれぞれの接続コイル１７ｆ，１７ｇ（図５）を中心として山状に折り畳みながら、底金網体の一方の片側上に側片部１３Ａを、その上に側片部１３Ｂを重ね、そして他方の片側上に側片部１４Ｂを、その上に側片部１４Ａを重ねる。重ねると同時に、背金網体１２は側片部１４Ａ上に重ねられ、接続コイル１７ｅ（図５）で接続されている蓋金網体１６も本体側被覆部２ａに重ねられて、図１１（ｉ）に示すように保管用金網かご１は板状に折り畳められる。その後、板状に折り畳められた保管用金網かご１を覆っている包装シート２の底部を、図１１（ｉ）に示す底部側被覆部２ｂによってこの被覆部を同図（ｉｉ）に示す矢印方向に折り曲げて封止し、さらに蓋金網体１６側を覆っている本体側被覆部２ａの部分を鎖線に示すように矢印方向に折り曲げて、２つ折りのコンパクト化された保管用金網かごが形成される。
包装シート２の底部の封止方法を図１２を参照して説明すると、同図（ｉ）に示すように、板状に折り畳められた保管用金網かご１を覆っている薄形筒状の包装シート２を一旦図左右の矢印方向に引っ張って角筒状に広げてから、本体側被覆部２ａから下方に伸びている底部側被覆部２ｂを図時計方向に折り曲げて、同図（ｉｉ）に示すように角筒状の本体側被覆部の底部を被覆する。底部側被覆部２ｂの周辺部は、接着剤、接着テープなどの固着手段により包装シート２の底部を被覆状態に固着する。
この結果、内部に一部が固着されかつ折り畳められた保管用金網かご１を包んでいる板状に折り畳められた有底の筒体の包装シート２が形成される。
【００１５】
保管用金網かご１は、図３に示すように折り畳まれた状態で又はこの状態からさらに２つ折りされた状態で出荷されて収納現場に搬入される。
収納現場では、図４に示すようにまず包装シートの開口部２ｃを開き、有底筒状にしてから、底金網体１５を接続コイル１７ａを中心として図１２（ｉｉ）鎖線に示す矢印方向（反時計方向）に９０度倒して、底部側被覆部２ｂ上に接近させ、図７に示すようにフック１８を前金網体１１の底部側の外枠１１ａに掛け止め、側金網体１３，１４の外枠１３ａ，１４ａに掛け止めて、底部側被覆部２ｂ上に水平に設置し固定する。その後、図４に示す包装シート２の開口部２ｃから除染廃棄物を投入すれば、保管用金網かご１の開口部１ａを通じて除染廃棄物が保管用金網かご内に収納される。
投入を終えた後、図４及び図７に示すように、起立している蓋金網体１６を接続コイル１７ｃを中心として図４矢印方向（図７時計方向）に倒して、保管用金網かご１の開口部１ａを閉じる。その後、図４に示す包装シート２の開口部２ｃをベルト３ａにより絞り、必要に応じて絞った開口部をテープなどで固着する。保管用金網かご内への除染廃棄物の収納作業を終えたら、除染廃棄物が入っている保管容器Ｃをクレーンなど揚重装置により吊り上げベルト３を利用して所定位置まで運ぶ。そして、保管容器を仮置き場又は中間施設まで保管容器を運搬し、積層する。
【００１６】
図示する除染廃棄物の保管容器Ｃによれば、除染廃棄物の投入時に保管容器はスタンドを利用することなく自立できるから投入作業がし易く、そして枝木が保管用金網かごを突き破って保管容器の損傷を抑制することができ、さらに上記の投入時でも保管中でも枝木や種の芽が成長したりしても保管用金網かご内に収納してあるため、従来例と比較して保管用金網かご１が突き破れにくく、長期保存に寄与することができる。
【００１７】
この発明に係る除染廃棄物の保管容器Ｃにおいて、保管用金網かごの材質は金属であればステンレス製である必要はない。包装シート２に対する保管用金網かご１の固着部４は、図５に示すようにその一部である開口端辺に相当する外枠部分のみに限られない。包装シートは可撓性を損なわない限り、補強用として布製、合成繊維製、金属製の繊維部材を組み込んでも良い。各金網体における連結具は単なるリングであっても良く、螺旋状のものに限られない。吊り上げ用の線状体は吊り上げベルト３に限られず、テープ、バンド、ロープ等であっても良い。外枠は線状でなくても良く、薄い帯状のものであっても良い。
【符号の説明】
【００１８】
Ｃ                                保管容器
１                                保管用金網かご
１ａ                              開口部
１１                              前金網体
１２                              背金網体
１３，１４                        対の側金網体
１３Ａ，１３Ｂ，１４Ａ，１４Ｂ    側片部
１５                              底金網体
１６                              蓋金網体
１１ａ〜１６ａ                    外枠
１１ａ１，１３ａ１，１４ａ１      開口側外枠部
１７ａ〜１７ｇ                    接続コイル（連結具）
１８，１９                        フック（掛け止め具）
２                                包装シート
２ａ                              本体側被覆部
２ｂ                              底部側被覆部
２ｃ                              開口部
３                                吊り上げベルト（吊り上げ用の線状体）
４                                固着部
【図１】
2016206106.tif 000003
【図２】
2016206106.tif 000004
【図３】
2016206106.tif 000005
【図４】
2016206106.tif 000006
【図５】
2016206106.tif 000007
【図６】
2016206106.tif 000008
【図７】
2016206106.tif 000009
【図８】
2016206106.tif 000010
【図９】
2016206106.tif 000011
【図１０】
2016206106.tif 000012
【図１１】
2016206106.tif 000013
【図１２】
2016206106.tif 000014